(57)【要約】  システムは噴霧器を備え、該噴霧器は、ハンドルと、第１のトリガー位置と第２のトリガー位置との間で移動するように構成されたトリガーであって、噴霧器は、前記トリガーが第１のトリガー位置にある場合にコーティング材料の流れを遮断し、前記トリガーが第２のトリガー位置にある場合にコーティング材料を噴霧するように構成されている、トリガーと、該トリガーに結合されたトリガーロックであって、第１のトリガー位置と第２のトリガー位置の間でトリガーの移動を選択的に遮断するように構成されているトリガーロックと、を有する。
2016518981.tif 000002
【特許請求の範囲】
【請求項１】
噴霧器を備えるシステムであって、
該噴霧器は、
ハンドルと、
第１のトリガー位置と第２のトリガー位置との間で移動するように構成されたトリガーであって、前記噴霧器が、前記トリガーが前記第１のトリガー位置にある場合にコーティング材料の流れを遮断し、前記トリガーが前記第２のトリガー位置にある場合にコーティング材料を噴霧するように構成されている、トリガーと、
前記トリガーに結合されたトリガーロックであって、前記第１のトリガー位置と前記第２のトリガー位置との間で前記トリガーの移動を選択的に遮断するように構成されているトリガーロックと、
を有することを特徴とするシステム。
【請求項２】
前記トリガーロックが、ロック位置とロック解除位置の間で回転するように構成されている、請求項１に記載のシステム。
【請求項３】
前記トリガーロックが第１の磁石を有する、請求項２に記載のシステム。
【請求項４】
前記トリガーロックが、第１の磁石とは別個の第２の磁石をハンドル内に有し、該第２の磁石は、前記トリガーロック内に前記第１の磁石を引き付け、前記トリガーロックをロック位置に保持するように構成されている、請求項３に記載のシステム。
【請求項５】
前記トリガーロックがハンドルに結合されたピンを中心にして回転する、請求項２に記載のシステム。
【請求項６】
前記トリガーロックがばねとばねカバーとを有し、ばねが前記ばねカバーと前記ピンとの間に摩擦係合を作り上げるように構成されている、請求項５に記載のシステム。
【請求項７】
前記ピンが、ばねカバーの先端部と係合するように構成された１つ以上の陥凹部を有する、請求項６に記載のシステム。
【請求項８】
前記ピンは、前記トリガーロックがロック位置にある場合にばねカバーの先端部と係合する第１の陥凹部と、前記トリガーロックがロック解除位置にある場合にばねカバーの先端部と係合する第２の陥凹部とを有する、請求項６に記載のシステム。
【請求項９】
前記ハンドルが陥凹部を有し、前記トリガーロックが突出部を有し、前記陥凹部は前記トリガーロック上の前記突出部と係合し、前記トリガーロックをロック位置に保持するように構成されている、請求項１に記載のシステム。
【請求項１０】
前記トリガーロックが、該トリガーロックの第１および第２の側から延在するフランジを有する、請求項１に記載のシステム。
【請求項１１】
第１のトリガー位置と第２のトリガー位置との間における噴霧器のトリガーの移動を遮断するように構成された磁気トリガーロックを有するシステムにおいて、
前記第１のトリガー位置が前記トリガーに結合された機構を起動させず、前記第２のトリガー位置が機構を起動させる、ことを特徴とするシステム。
【請求項１２】
ハンドル、前記トリガー、前記機構および前記磁気トリガーロックを有する前記噴霧器を備える、請求項１１に記載のシステム。
【請求項１３】
前記機構がバルブを有する、請求項１１に記載のシステム。
【請求項１４】
前記トリガーを有し、前記磁気トリガーロックが前記トリガーに結合されている、請求項１１に記載のシステム。
【請求項１５】
前記磁気トリガーロックが、該磁気トリガーロックの第１および第２の側から延在するフィンガーグリップを有する、請求項１１に記載のシステム。
【請求項１６】
噴霧器のバルブと、
前記バルブに結合されたトリガーであって、該トリガーは、第１のトリガー位置と第２のトリガー位置との間で移動するように構成されており、前記バルブは前記トリガーが前記第１のトリガー位置にある場合に閉鎖され、前記バルブは前記トリガーが前記第２のトリガー位置にある場合に開放される、トリガーと、
前記トリガーに結合された磁気トリガーロックであって、前記第１のトリガー位置と前記第２のトリガー位置の間での前記トリガーの移動を遮断するように構成されている磁気トリガーロックと、
を有することを特徴とするシステム。
【請求項１７】
前記磁気トリガーロックがばねとばねカバーとを有し、前記ばねが前記ばねカバーと前記ピンとの間に摩擦係合を作り上げるように構成されている、請求項１６に記載のシステム。
【請求項１８】
前記磁気トリガーロックが磁化材料製磁石を有し、該磁石が、磁力を介して前記トリガーの移動に抵抗するように構成されている、請求項１６に記載のシステム。
【請求項１９】
前記バルブ、前記トリガーおよび前記磁気トリガーロックを有する噴霧器を有する、請求項１８に記載のシステム。
【請求項２０】
前記磁気トリガーロックが、前記トリガー内の引込み位置と前記トリガーから外に突出する伸展位置との間で回転するように構成されている、請求項１６に記載のシステム。
【発明の詳細な説明】
【技術分野】
【０００１】
本発明は、概して噴霧工具（ｓｐｒａｙ  ｔｏｏｌ）ロックシステムに関する。
【０００２】
（関連出願の相互参照）
本出願は、参照により本明細書に援用されている２０１３年５月２３日出願の「噴霧工具ロックシステム」という名称の米国仮特許出願第６１／８２６，９３６号に対する優先権およびその利益を主張する、参照により本明細書に援用されている２０１４年４月２９日出願の「噴霧工具ロックシステム」という名称の米国非仮特許出願第１４／２６５，１３７号に対する優先権およびその利益を主張する。
【背景技術】
【０００３】
噴霧工具は、より効率良く物体をコーティングするために噴霧する。例えば、噴霧工具は、物体を塗装するか、または他の形で標的物体をコーティング材料でコーティングする目的で使用されてよい。噴霧工具は典型的に、ユーザーが噴霧工具からコーティング材料を選択的に噴霧することができるようにするトリガーを有している。残念なことに、噴霧工具では、ユーザーがトリガーを偶発的に押し下げることがありコーティング材料を無駄にする場合もある。
【発明の概要】
【発明が解決しようとする課題】
【０００４】
出願時の請求項に係る発明を包含する実施形態が以下で要約される。これらの実施形態は、特許請求の範囲の発明を限定するように意図されておらず、むしろこれらの実施形態は本発明の考えられる形態の概要を提供することだけを意図したものである。実際、本発明は、以下で規定される実施形態と類似であるかまたは異なるかもしれないさまざまな形態を包含していてよい。
【０００５】
第１の実施形態において、噴霧器を備えるシステムであって、噴霧器は、ハンドルと、第１のトリガー位置と第２のトリガー位置との間で移動するように構成されたトリガーであって、トリガーが第１のトリガー位置にある場合にコーティング材料の流れを遮断し、トリガーが第２のトリガー位置にある場合にコーティング材料を噴霧するように構成されている、トリガーと、このトリガーに結合されたトリガーロックであって、第１のトリガー位置と第２のトリガー位置との間でトリガーの移動を選択的に遮断するように構成されている、トリガーロックと、を有する。
【０００６】
別の実施形態において、システムには、第１のトリガー位置と第２のトリガー位置との間における噴霧器のトリガーの移動を遮断するように構成された磁気トリガーロックが有しており、第１のトリガー位置は、トリガーに結合された機構を起動させず、第２のトリガー位置は機構を起動させる。
【０００７】
別の実施形態において、システムは、噴霧器のバルブと、該バルブに結合されたトリガーであって、該トリガーは第１のトリガー位置と第２のトリガー位置との間で移動するように構成されており、バルブはトリガーが第１のトリガー位置にある場合に閉鎖され、バルブはトリガーが第２のトリガー位置にある場合に開放される、トリガーと、トリガーに結合された磁気トリガーロックであって、第１のトリガー位置と第２のトリガー位置との間でのトリガーの移動を遮断するように構成されている、磁気トリガーロックと、を有する。
【０００８】
本発明のこれらのおよび他の特徴、態様および利点は、添付図面を参照しながら以下の詳細な説明を読んだ場合により良く理解されるものである。なお図面中、図面全体を通して同じ番号は同じ部品を表わしている。
【図面の簡単な説明】
【０００９】
【図１】一実施形態に係るトリガーロックを伴う噴霧工具システムの側面図である。
【図２】トリガーロックがロック位置にある状態の噴霧工具システムの一実施形態の、図１の２−２線に沿って切り取った部分断面側面図である。
【図３】トリガーロックがロック解除位置にある状態の噴霧工具システムの一実施形態の、図１の２−２線内で切り取った部分断面側面図である。
【図４】トリガーロックを伴う噴霧工具システムの一実施形態の、図１の２−２線内で切り取った部分断面側面図である。
【図５】トリガーロックを伴う噴霧工具システムの一実施形態の、図１の２−２線内で切り取った部分断面側面図である。
【図６】一実施形態に係るトリガーロックの斜視図である。
【図７】トリガーロックを伴う噴霧工具システムの一実施形態の、図１の２−２線内で切り取った部分断面側面図である。
【発明を実施するための形態】
【００１０】
本発明の１つ以上の具体的実施形態について以下で説明する。これらの実施形態を簡潔に説明しようとして、実際の実施の全ての特徴が明細書中で説明されていない場合もある。このようなあらゆる実際の実施を開発する上で、あらゆるエンジニアリングまたは設計プロジェクトにおいてそうであるように、実施毎に変動する可能性のあるシステム関連のおよびビジネス関連の制約条件との適合性などの、開発者の特定の最終目的を達成するために、多くの実施時固有の決定を行なう必要がでてくる。その上、このような開発努力は、複雑かつ時間のかかるものである場合があるが、それでも本開示の利益を有する当事者にとっては、設計、製作および製造の日常的な仕事であると考えられることを認識すべきである。
【００１１】
本発明のさまざまな実施形態の要素を紹介する場合、「ａ」、「ａｎ」、「ｔｈｅ」という冠詞および「ｓａｉｄ（前記）」という用語は、１つ以上の要素が存在することを意味するように意図される。「ｃｏｍｐｒｉｓｉｎｇ（有する）」、「ｉｎｃｌｕｄｉｎｇ（有する）」および「ｈａｖｉｎｇ（有する）」という用語は、包括的であり、列挙された要素以外の追加の要素が存在する場合があることを意味するように意図されている。
【００１２】
本開示は、概して、噴霧工具の偶発的な使用を遮断することのできるトリガーロックに向けられている。トリガーロックは、トリガーおよび／またはハンドルに結合し、トリガーの使用を遮断または可能にするロック位置とロック解除位置との間で移行してよい。一部の実施形態においてトリガーロックは、ロック位置とロック解除位置との間の移行に抵抗するための位置保持機構（例えばスナップ、磁石、ラッチなど）を有していてもよい。例えば、トリガーロックは、ロック位置からロック解除位置へのトリガーロックの移動に抵抗する１つ以上の磁石を有していてもよい。別の実施形態において、トリガーロックは、トリガーロックの回転に抵抗するためトリガーまたはハンドルのいずれかの中にピンを摩擦係合する摩擦装置を有していてもよい。さらに別の実施形態において、ピンは、トリガーロックの回転抵抗を増大させる陥凹部を有していてもよい。他の実施形態において、トリガーロックまたはハンドルは対象となるトリガーロックまたはハンドル上の陥凹部または突出部と係合する突出部または陥凹部を有していてもよい。ロック位置とロック解除位置との間の移動に対するトリガーロックの抵抗は、トリガーの偶発的な押し下げを遮断する。
【００１３】
図１は、ユーザーがトリガー１４の移動ひいては噴霧工具システム１０による噴霧を選択的に遮断できるようにするトリガーロック１２を伴う噴霧工具システム１０の側面図である。例示されている通り、噴霧工具システム１０は、トリガー１４に結合する本体１６、ハンドル１８、噴霧オリフィス２０およびコーティング材料導管２２を有する。作動中、ハンドル１８は、ユーザーが噴霧工具システム１０を保持し誘導し、トリガー１４を押し下げることによりコーティング材料（例えば液体、粉末など）を噴霧することができるようにする。トリガー１４は、ピン２４（例えば回転継手）により本体に係合して、トリガー１４が時計回りおよび反時計回り方向２６および２８にピン２４を中心にして回転できるようにする。例えば、作動中、ユーザーは、トリガー１４を押し下げてトリガー１４を時計回り方向２６に回転させてもよい。トリガー１４がハンドル１８に向かって回転するにつれて、トリガー１４は本体１６内部でバルブ３０を開放する。バルブ３０が開放した時点で、加圧されたコーティング材料（例えば液体または粉末）がコーティング材料導管２２を通って本体１６内へと流れることができ、ここでコーティング材料は噴霧オリフィス２０を通って放出される。同様にして、コーティング材料を噴霧した後、ユーザーはトリガー１４を解放して、加圧コーティング材料の流れを停止させる。具体的には、トリガー１４の解放は、トリガーがハンドル１８から離れる反時計回り方向２８に回転できるようにする。トリガー１４がハンドル１８から離れるように回転するにつれて、バルブ３０は閉鎖してコーティング材料の流れを遮断する。図１において、トリガーロック１２は、トリガー１４が時計方向２６に回転するのを遮断して噴霧工具システム１０が噴霧するのを防ぐロック位置３２にある。例示されている実施形態において、トリガーロック１２は、ピン３４（例えば回転継手）によってトリガー１４に結合して、トリガーロック１２が、ロック位置３２（例えば実線で示されているもの）とロック解除位置３６（例えば破線で示されているもの）との間を回転できるようにする。したがって、トリガーロック１２は、時計回り方向２６に回転することによってロック位置３２（例えば伸長位置）からロック解除位置３６（例えば引込位置または折畳み位置）まで移行することができ、あるいは、反時計回り方向２８に回転することによってロック解除位置３６からロック位置３２まで移行することができる。ロック位置３２とロック解除位置３６との間でトリガーロック１２を移行させる能力により、システム１０はトリガー１４の偶発的な押し下げを選択的に遮断することができることになる。
【００１４】
図２は、ロック位置３２にあるトリガーロック１２を例示する、２−２線内部で切り取った図１の噴霧システムの部分断面側面図である。上述した通り、トリガーロック１２がロック位置３２にある場合、トリガーロック１２はトリガー１４が時計回り方向２６に回転しないように遮断し、こうして噴霧工具システム１０からのコーティング材料の流れが遮断される。トリガーロック１２は、前方部分５２、後方部分５４およびアパーチャ５６を伴う本体５０を有する。本体５０は、本体５０前方部分５２の中のピンアパーチャ５８を貫通するピン３４によりトリガー１４に結合する。例示されている通り、前方部分５２は、トリガー後方表面６２と接触した状態で前方表面６０を画定している。例示された実施形態において、前方表面６０は、時計回り方向２６でのトリガーロック１２の回転を容易にする丸味のあるコーナー６４（例えばカム部分）および、反時計回り方向２８での回転を遮断する直線の角度付きコーナー６６（例えばストッパ部分）を有する。したがって、本実施形態は、反時計回り方向２８にしかロック解除され得ないトリガーロック１２を例示する。しかしながら、他の実施形態においては、前方表面６０は、時計回りおよび反時計回り方向２６および２８でのトリガーロック１２のロック解除を可能にする丸味のあるコーナー６４および６６（例えば２つのカム部分）のみを有してもよい。さらに他の実施形態において、トリガーロック１２は、トリガー後方表面６２から離隔され、前方表面６０がトリガー後方表面６２と接触しないようにしてもよい。
【００１５】
例示されている通り、後方アパーチャ５６は、後方部分５４を貫通して延在する。後方アパーチャ５６は、本体５０が位置保持装置つまり、ピン３４と摩擦係合して位置を保持する装置を収容して、ロック解除位置とロック位置との間のトリガーロック１２の移行に抵抗することができるようにする。位置保持装置は、ばねホルダー７０、ばね７２、および止めネジ７６を有する。例示されている通り、ばねホルダー７０は、アパーチャ５６の内部にとどまり、ばね７２を収容する。組立てられた場合、止めネジ７６は本体５０内に螺入し、ばね７２をばねホルダー７０内に保持し圧縮する。ばね７２の圧縮は、ばね７２を方向７８に強制し、ばねホルダー７０をピン３４と摩擦係合するように駆動する。ばねホルダー７０とピン３４との間の摩擦は、トリガーロック１２の移動に抵抗し、こうしてトリガーロック１２の偶発的な移動に抵抗する。
【００１６】
位置保持装置に加えて、一部の実施形態は、ロック位置３２からロック解除位置３６までのトリガーロック１２の移行に抵抗するため磁石８０を有してもよい。例示されている通り、磁石８０（例えば磁化材料）は、本体５０の後方部分５４の近傍で、止めネジ７６の後ろのアパーチャ５６内に挿入される。ロック位置３２において、磁石８０は、ハンドル１８のアパーチャ８４内にある磁石８２（例えば磁化材料）と整列し、それを引き付ける。磁石８０と８２との間の磁力は、ロック位置３２から外へ向かうトリガーロック１２の移動に抵抗する連結部を形成する。しかしながら、他の実施形態は、異なる構成を有していてよい。例えば、一部の実施形態おいて、トリガーロック１２は磁石８０を有さず、ハンドル内の磁石８２に引き付けられる磁性材料または磁化可能材料を有してもよい。他の実施形態において、トリガーロック１２は、磁石８０または別個の磁化可能材料を含まなくてよい。代りに、トリガーロック１２の本体５０は、ハンドル１８内の磁石８２に引き付けられる磁化可能材料から作られていてよく、あるいは逆に、トリガーロック１２内で磁石８０を引き付ける磁化可能材料がアパーチャ８４内に置かれてもよい。さらに別の実施形態においては、ハンドル１８は、磁石８０を引き付ける磁化可能材料で形成されてもよい。
【００１７】
図３は、ロック解除位置３６にあるトリガーロック１２を例示する、２−２線内で切り取った図１の噴霧システムの部分断面側面図である。ロック位置３２からロック解除位置３６までトリガーロック１２を移行させるために、ユーザーは、時計回り方向２６の移動に抵抗する力を超えることのできる時計回り方向２６の力を提供する。具体的には、時計回り方向２６でのユーザーからの力が磁石８０および８２の間の磁気連結を超えて、ばねホルダー７０とピン３４との間の摩擦力を超越する場合、トリガーロック１２はロック解除位置３６内に移行する。例示されている通り、ロック解除位置において、トリガーロック１２はトリガー１４の陥凹部７４の内部にとどまり、ユーザーがトリガー１４を押し下げて噴霧工具システム１０を用いてコーティング材料を噴霧することができるようにする。さらに、一部の実施形態において、陥凹部７４は、ロック解除位置３６から外へのトリガーロック１２の移行に抵抗するために磁石８０を引き付ける１つの磁石を有していてもよい。
【００１８】
図４は、トリガーロック１２を例示する、２−２線で切り取った図１の噴霧システム１０の部分断面側面図である。例示された実施形態において、ピン３４は、円周方向にオフセットされた位置で第１の陥凹部１００と第２の陥凹部１０２を有し、こうしてばねホルダー７０の先端部１０１が陥凹部１００および１０２内に選択的に嵌込まれるようになっている。陥凹部１００および１０２内部の先端部１０１の係合は、ロック位置３２とロック解除位置３６との間におけるトリガーロック１２の移動にさらに抵抗する。例示されている通り、第１の陥凹部１００と先端部１０１との係合は、ロック位置３２から外れようとするトリガーロック１２の移動に抵抗する。しかしながら、充分な回転力を用いて、ばねホルダー７０はばねホルダー７０の先端部１０１が第１の陥凹部１００から退出できる方向１０４にばね７２を圧縮する。ユーザーがトリガーロック１２を方向２６に回転させ続けるにつれて、トリガーロック１２はロック解除位置３６まで移行する。トリガーロック１２がロック解除位置３６に達した時点で、ばね７２は伸長し、ばねホルダー７０の先端部１０１を陥凹部１０２内に移動させる。したがって、ばねホルダー７０の先端部１０１が陥凹部１０２内に伸長した場合、陥凹部１０２内部の先端部１０１の係合は、ロック解除位置３６から外へのトリガーロック１２の移動に抵抗することができる。本実施形態は第１および第２の陥凹部１００および１０２を例示しているが、他の実施形態は、１つの陥凹部のみを有してもよい。１つの実施形態は、ロック位置３２から外へのトリガーロック１２の移動に抵抗するように先端部１０１と係合するための陥凹部１００を有しているだけでよい。別の実施形態においては、トリガーロック１２をロック解除位置３６に保つように先端部１０１と係合するための陥凹部１０２が存在するだけでよい。
【００１９】
図５は、トリガーロック１２を例示する、ライン２−２内で切り取った図１の噴霧システム１０の部分断面側面図である。例示されている通り、本体５０の後方部分５４は、後方表面１２０を有する。本実施形態において、後方部分１２０は、ハンドル１８内の陥凹部１２４に対応する突出部１２２を形成する。ロック位置３２において、突出部１２２は陥凹部１２４内部にとどまり、ロック位置３２から外へのトリガーロック１２の回転移動に抵抗する。しかしながら、トリガーロック１２上に充分な回転力が加われば、突出部１２２は陥凹部１２４から退出する。トリガーロック１２が時計回り方向２６に回転し続けるにつれて、トリガーロック１２はロック解除位置１３６へと移行する。その上、他の実施形態は、多数の保持位置を提供するため追加の突出部１２２および陥凹部１２４（例えば１、２、３、３、４、５）を有してもよい。例えば、後方表面１２０は、ハンドル１８内の陥凹部１２４に対応するアパーチャ５６の相対する側に突出部１２２を有してもよい。別の実施形態において、トリガーロック１２およびハンドル１８は、突出部１２２および陥凹部１２４に加えて磁石８０および８２を有し、こうしてロック位置３２からロック解除位置３６へのトリガーロック１２の移動に対する抵抗力を増強することができる。
【００２０】
図６は、トリガーロック１２の斜視図である。以上で説明した通り、トリガーロック１２は、前方部分５２、後方部分５４およびアパーチャ５６を伴う本体５０を有する。本体５０は、トリガーロック１２がピン３４によってトリガー１４に結合できるようにし、位置保持装置がピン３４と摩擦係合できるようにする。より具体的には、前方部分５２は、トリガーロック１２がピン３４によってトリガー１４に結合できるようにするアパーチャ５８を有し、一方後方部分５４は位置保持装置３４がアパーチャ５６を通ってピン３４に接触できるようにしている。以上で説明した通り、位置保持装置はピン３４と摩擦係合して、ロック位置３２とロック解除位置３６との間でのトリガーロック１２の移行に抵抗する。
【００２１】
例示されている通り、本体５０は、前方表面６０、後方表面１２０、側方表面１４０および１４２、上部表面１４４、および底部表面１４６を有した多数の表面を画定する。これらの表面は、噴霧工具システム１０に対するトリガーロック１２の整列、移動および結合を容易にする。例えば、側方表面１４０および１４２は、ユーザーがロック位置３２とロック解除位置３６でトリガーロック１２に接触し、かつこれを操作できるようにするそれぞれのフランジ１４８（例えばフィンガーグリップまたはレバー）を有してもよい。その上、上部および底部表面１４４および１４６は、同様にユーザーがトリガーロック１２を操作するのを補助するかもしれないさまざまな形状（例えば凹形、疑似凹形など）を形成してよい。一部の実施形態において、後方表面１２０は、ハンドル１８の相対する側に重複する突出部１５０を有してもよい。後方突出部１５０は、トリガーロック１２を整列させるのを補助し、ピン３４上の軸方向応力を削減するかもしれない。例えば、トリガーロック１２がロック位置３２にある場合、トリガーロック１２上の軸方向力が、突出部１５０を強制的にハンドル１８と接触させ、こうしてピン３４上の軸方向力を削減させるかもしれない。
【００２２】
図７は、トリガーロック１２を例示する、２−２線内で切り取った図１の噴霧システム１０の部分断面側面図である。本実施形態において、トリガーロック１２は、トリガー１４に結合する代りにピン３４でハンドル１８に結合する。したがって、トリガー１４は、ロック位置３２とロック解除位置３６との間でのトリガーロック１２の移動に抵抗する磁石８２または別のタイプのメカニズム（例えば突出部または陥凹部）を有してもよい。作動中、トリガーロック１２は、ハンドル１８に向かって反時計回り方向２６に回転することによって、ロック位置３２とロック解除位置３６との間で回転する。他の実施形態においては、トリガーロック１２は、ハンドル１８に向かって時計回り２６に回転することによりロック解除位置３６へと移行し得る。上述した通り、トリガーロック１２は、ユーザーがトリガー１４の偶発的な押し下げを選択的に遮断することを可能にする。
【００２３】
本明細書中では、本発明の一部の特徴のみが例示され説明されてきたが、当業者であれば多くの修正および変更に気付くものである。したがって、添付のクレームがこのような修正および変更の全てを本発明の真の精神の範囲内に入るものとして網羅するように意図されていることを理解すべきである。
【図１】
2016518981.tif 000003
【図２】
2016518981.tif 000004
【図３】
2016518981.tif 000005
【図４】
2016518981.tif 000006
【図５】
2016518981.tif 000007
【図６】
2016518981.tif 000008
【図７】
2016518981.tif 000009
【国際調査報告】
2016518981.tif 000010
2016518981.tif 000011